(57)【特許請求の範囲】
【請求項１】
血液成分容器（５０）と、前記血液成分容器（５０）に固定されるＲＦＩＤタグ（６６）と、を含む血液成分容器アセンブリであって、前記血液成分容器（５０）は、本体（５２）、ネック部、ポート（５４）、及び、前記ポート（５４）に関連して設置されるコネクタ（５６）を含む剛性または半剛性血液成分容器（５０）を備え、
前記ＲＦＩＤタグ（６６）は、前記ネック部に篏合するのに十分な大きさで、かつ、前記本体（５２）と前記コネクタ（５６）との間で捕われるように前記本体（５２）及び前記コネクタ（５６）より小さい、中心の孔（７２）を含む、環状部材を備え、
前記ＲＦＩＤタグ（６６）は、平面の環帯であり、
前記ＲＦＩＤタグ（６６）は、前記ＲＦＩＤタグ（６６）内に成型されたＲＦＩＤチップを備えることを特徴とする血液成分容器アセンブリ。
【請求項２】
前記孔（７２）は直径を有し、前記ネック部は直径を有し、前記コネクタ（５６）は直径を有し、前記孔の直径は、前記ネック部の直径より大きく、かつ、前記コネクタの直径より小さいことを特徴とする請求項１に記載の血液成分容器アセンブリ。
【請求項３】
前記ＲＦＩＤタグ（６６）は、読み取りまたはスキャン部品または領域を含むことを特徴とする請求項１または２に記載の血液成分容器アセンブリ。
【請求項４】
前記ＲＦＩＤタグ（６６）は、成形されたプラスチック及びファイバーボードなどの凍結及び解凍に耐える耐性材料を備えることを特徴とする請求項１〜３のいずれか一項に記載の血液成分容器アセンブリ。
【請求項５】
前記血液成分容器は、血漿ボトルであることを特徴とする請求項１〜４のいずれか一項に記載の血液成分容器アセンブリ。
【発明の詳細な説明】
【技術分野】
【０００１】
本願は、共に本願明細書に参照することにより組み込まれる、２０１２年１１月８日に出願された米国仮出願第６１／７２３，９２８号、及び、２０１３年３月７日に出願された米国非仮出願第１３／７８８，７３４号の優先権及び利益を主張する。本願は、血液容器及び処理システムに関する。より具体的には、本願は、血液または血液成分容器に関し、かつ／あるいは、それに関連する無線自動識別（ＲＦＩＤ）ソースまたはタグを有する血液または血液成分流動システムに関する。
【背景技術】
【０００２】
使い捨てプラスチック容器及び管類セットは、通常、献血者から血液または血液成分を収集するために使用される。長年の間、このような容器は、例えば、血液全体、赤血球、血小板、または別の成分などの、容器の意図された内容のための、食品医薬品局によって指定された容器のタイプ及び製品コード情報の説明を含む、組み込まれたラベルを有する。 バーコードがスキャナの読み取り線内にある必要があるなかで、バーコードラベルにはかなりの制限がある。個々のバーコードそれぞれは、スキャナに露出させなくてはいけないことを意味するだけでなく、バーコード自体が、いかようにも劣化する、または、見えなくなってはいけない。バーコードは、折られた、挟まれたりすることに対して影響を受けやすく、技術者が、よく、バーコードを手作業でまっすぐにしたり、滑らかにして、バーコードが読み取り可能にする必要がある。また、凍った血液容器上のラベルは、氷で覆われてしまうことがあり、このことがバーコードの読み取りを不可能にし得る。
【０００３】
追跡目的で、かつ、バーコードラベルに関連するいくつかの欠点を避けるために、血液バッグと共に無線自動識別（ＲＦＩＤ）タグを使用することが依然は一般的に提案されてきた。この説明の目的として、ＲＦＩＤ「タグ」は、その周知かつ一般的な手段に従って使用され、その手段は、それを可能にする、無線通信を介して追跡されるように対象物に取り付けられた、アンテナが組み合わされたマイクロ回路またはマイクロチップを含む。本願で、ＲＦＩＤ「データソース」はＲＦＩＤ「タグ」と交互に使用され得、区別されるべきものではない。
【０００４】
議題に戻ると、血液容器と連結されたＲＦＩＤタグの使用における問題はある。第１に、タグは、国際的なＩＳＢＴ１２８データ保全基準が管理する血液バッグラベルに取り付けられなければならない。第２に、タグは、血液中に浸出する汚染のリスクをもたらすものであってはならない。第３に、タグは、蒸気消毒、低温殺菌、及び／または、長期間の半冷凍温度を含む、広範囲の気温で長期にわたって存続する必要がある。これらの要求は、ＲＦＩＤタグの血液容器への組み込みを簡単でないことにする。
【０００５】
ＲＦＩＤタグが、単に血液容器上の平坦な平面構造に張り付けられる場合、容器内の流体は、ＲＦＩＤタグと読み取り機／書き出し機との間の通信を信頼性がないまたは不可能にさせる電磁波を受け入れるだろうことが指摘されてきた。参照によって本願に組み込まれる特許文献１を参照。さらに、血液容器は、一般的に、可塑性かつ曲がりやすく、ＲＦＩＤタグが、単に血液容器に貼られた場合、血液容器の通常の取り扱いによって、ＲＦＩＤタグを曲げる傾向があり、タグのアンテナをタグの回路の残部から分離させ得る。特許文献１は、容器に貼るための設置部と、設置部に折り畳み可能に連結される保持部と、を有する孤立した設置ラベルを使用することによるこれらの問題を指摘している。
【０００６】
血液容器にＲＦＩＤタグ固定するための別の構成が、参照によって本願に組み込まれる特許文献２に示される。これらのいくつかは、タグが、それ自体のバッグで保持されるか、あるいは、容器の壁に取り付けられるフィルム層によって維持される状態で、容器の本体上に直接ＲＦＩＤタグを配置することを必要とする。また、特許文献２は、タグを受容するために区画を形成する容器の壁の延長部を示す。
【０００７】
本願は、容器上、それ自体、またはその中にタグを固定することによるか、タグと容器との間、あるいは、タグと血液または血液成分流動システムの一部との間に物理的な接続部を形成することによって、ＲＦＩＤタグ及びシステム、あるいは、ＲＦＩＤタグが血液または血液成分、及び／あるいは、血液または血液成分流体流動または処理システムに関連付けられる組み合わせに向けられる。本願で使用されるように、明確に説明がない限り「血液容器」と「血液成分容器」との間に区別は意図されず、明確に説明がない限り「血液容器」は、「血液成分容器」を含む。同様に、血液または血液成分処理システムまたは流動経路の間に区別は意図されない。
【先行技術文献】
【特許文献】
【０００８】
【特許文献１】米国特許第７，７０３，６８７号
【特許文献２】米国特許第６，２８５，２８５号
【発明の概要】
【発明が解決しようとする課題】
【０００９】
ＲＦＩＤタグが種々の方法で容器に関連付けられる血液容器を含む複数の実施形態が本願で開示され、血液容器上にタグが剥がれるのを保護するポートの内側にタグを挿入する；血液容器のポート内に挿入された成形プラグ内にタグを埋め込む；血液容器のポート内に挿入された分離したカニューレなどの成形品にタグを取り付ける；タグをカップ形状のポートの内側に配置し、ポートにプラグを固定し、血液容器のポートにプラグを取り付けること；血液容器のシート上にＲＦＩＤタグ・アンテナを直接ペイントする、または貼る；または、充填された際に流体成分内で自由に浮くように血液容器内にタグを挿入する；ことを含む。開示される別の実施形態または構成は、ＲＦＩＤタグが、ロープ（tether）によって、または、容器本体とカバー、キャップまたは連結部との間でＲＦＩＤタグを捕捉することによって血液容器または処理システムに取り付けられる、血液容器またはシステムを含む。また、別の実施形態は、血液または血液成分容器、あるいは、血液または血液成分処理システムに関連付けられた、流体流路内に取り付けられるように構成された接続部を含む。
【課題を解決するための手段】
【００１０】
本願の一態様では、血液成分容器アセンブリは、本体、本体から延在してポート内で終端するネック部、及びポート関連して設置されるコネクタを備える剛性または半剛性血液容器と、容器に固定されるＲＦＩＤタグと、を含む。
【００１１】
本願発明の別の態様では、血液成分容器アセンブリは、可塑性のある血液成分容器、容器から延在するポートチューブなどの概して筒状の部材、及び、筒状の部材内に配置されるＲＦＩＤタグを含む。
【００１２】
本願発明のさらなる態様では、血液成分容器アセンブリは、可塑性のある血液成分容器、容器によって携行される剥がしタブによって形成されるエンクロージャ、及び、エンクロージャ内に包含されたＲＦＩＤタグを備え、かつ、剥がしタブは、ＲＦＩＤタグへのアクセスを可能にするように手動で開けることができる。
【００１３】
本願発明のまた別の態様では、血液成分容器は、外面を有する壁を有し、ＲＦＩＤアンテナは、直接外面上にペイントされる、印刷される、または、貼られる
【００１４】
本願発明の別の態様では、血液成分容器アセンブリは、血液成分を受容するための内部室を有する血液成分容器と、室内に配置されるＲＦＩＤタグと、を含む。
【００１５】
本願発明のまたさらなる態様では、血液成分容器アセンブリは、血液成分容器と、ロープによって容器に固定されたＲＦＩＤタグと、を含む。
【００１６】
本願発明の別の態様では、血液成分を追跡するためのＲＦＩＤタグが設けられ、ＲＦＩＤタグは、ＲＦＩＤスキャン部品と、スキャン部品を製品に恒久的に取り付けるためのロープと、を含む。
【００１７】
本願発明の別の態様では、ＲＦＩＤタグは、血液成分流路と接続して使用するために設けられ、タグは、流体流路にライン内で接続するためにそこを通過して延在する流体流動内腔と、ポートコネクタによって携行されるＲＦＩＤ読み取り部分と、を含む。
【００１８】
これらの、しかながら、本願で開示され、かつ、請求された、いくつかの本願の手段の一般的かつ／またはより具体的な態様または例は、包括的、または、別の態様を除外するように意図されたものではない。
【図面の簡単な説明】
【００１９】
【図１】先行技術の血液容器の平面図である。
【図２】本願における第１の実施形態を示す、図１と同様であるが、より小さなスケールの平面図である。
【図３】本願の別の実施形態を示す、図２と同様の平面図である。
【図４】本願のさらに別の実施形態を示す、血液容器の平面図である。
【図５】本願のまたさに別の実施形態を示す、血液容器の平面図である。
【図６】図５の実施形態に使用されるカップ及びプラグの拡大斜視図である。
【図７】本願のまた別の実施形態を示す、血液容器の平面図である。
【図８】本願のさらに別の実施形態を示す、血液容器の平面図である。
【図９】プラズマ収集容器に取り付けられたＲＦＩＤタグの別の実施形態の一部側部が隆起した展開図である。
【図１０】プラズマ収集容器に取り付けられたＲＦＩＤタグのさらに別の実施形態の一部側部が隆起した展開図である。
【図１１】図１０の組み立てられた器具の上面図である。
【図１２】流体流動接続部を含むＲＦＩＤタグのまたさらなる実施形態の平面図である。
【図１３】例えば、血液収集または処理流動回路の流体流動チューブ内に取り付けられた図１２のＲＦＩＤタグの側面図である。
【図１４】血液成分容器ポートとチューブ断片との間のライン内に組み立てられた図１２の実施形態を示す図である。
【図１５】流体流動接続部を含む別のＲＦＩＤタグを示す図である。
【図１６】血液処理、または、例えば、血液収集または処理流体回路の流体流動チューブ内に取り付けられた図１５の実施形態を示す図である。
【図１７】血液または血液成分容器などの容器と、チューブ断片と、の間のライン内の図１５の実施形態を示す図である。
【発明を実施するための形態】
【００２０】
この明細書の目的のために、血液容器は、一般的に図１における符号１０で図示される。これは、典型的な血液容器を表すことを意図する。本願の主旨は、血液成分の手動収集で採用される、一次的または二次的な容器である血液成分容器として使用され得る、あるいは、自動化されたシステムで採用される血液成分容器と関連して使用され得ることが想定されるべきである。そのため、容器は、ＲＦＩＤタグによって識別され、追跡される必要がある任意の流体成分を含み得る。明細書の目的のために、これらは本願明細書では血液容器として称されるだろうが、内容物は血液または血液成分以外のものであり得ることが理解されるだろう。
【００２１】
血液容器の製造は、当業者には公知である。一般的に、血液容器は、可塑化ポリ塩化ビニルなどの適切な塑性材料で作られる。容器は、対向する塑性材料のシートを共に密封することによって、あるいは、ブロー成形によって、または、別の塑性形成工程によって容器を形成することによって形成される。本願では、どのように容器が形成されるかは関係ない。
【００２２】
図１は、通常の構成の血液容器１０を図示する。容器１０は、周囲が密封され容器の内部室を画定する、一対の対向する塑性シートを備える。１つまたは複数のポートが、容器の内部に出し入れするために容器の端部に設けられる。図１では、４つのポート１２Ａ、１２Ｂ、１２Ｃ、及び、１２Ｄがある。もちろん、異なる数のポートを設けることができる（本願の別の図は、３つのポートを有する容器を示す）。ポートは、容器に直接開口してもよく、または、使用者の外側からの操作によって開けられ得る、ポート内に配置される穿孔ダイヤフラムまたは脆弱障害物を含み、脆弱障害物を壊してポートを通過する流動を開くことができる。ポート１２Ａは、適切な管類１４に連結されることが示される。ポート１２Ｂ及び１２Ｄは、剥がしタブ１６と通常称されるものによって形成されるエンクロージャ内に密封される。ポート１２Ｃは、符号２０で示される追加的な管類への取り付けのために適切な接続部１８に結合する。
【００２３】
図１２は、本願の一実施形態を図示する。符号２２で概略的に示されるＲＦＩＤタグを有する３ポートの血液容器を示す。ＲＦＩＤタグ２２は、ＲＦＩＤスキャナ／読み取り機ユニット（図示せず）と通信するための適切な回路装置と接続されたアンテナを含む。「スキャナ」及び「読み取り機」は、本願で交換可能に使用される。この実施形態では、ＲＦＩＤタグ２２は、ポート１２Ｃを覆う剥がしタブ１６の内部に挿入される。剥がしタブは、タグ２２を容器に固定し、その作業に干渉しない間の損傷からタグを保護する。ある理由、例えば、患者または提供者のファイルを含むため、タグ２２が容器から離間される必要がある場合、剥がしタブを開いてタグを取り出すことができる。
【００２４】
図３及び図４は、本願の関連するさらなる実施形態を図示する。これら両方の実施形態は、血液容器のポート内に挿入される形成プラグまたは形成品（例えば、分離したカニューレ）に埋め込まれた、または、取り付けられたＲＦＩＤタグを組み入れる。図３では、ＲＦＩＤタグ２４は、ポート１２Ｃ内に挿入された形成プラグ２６内に埋め込まれる。図４では、ＲＦＩＤタグ２８は、ポート１２Ａ内に挿入された分離したカニューレに取り付けられる。これらの両方の実施形態は、タグのための特に堅固な支持を設ける。
【００２５】
図５及び図６は、本願のまた別の実施形態を図示する。このバージョンでは、ＲＦＩＤタグ３２は、閉じた底部及び開いた上端部を有する、空洞の円筒状カップ３４内に配置される。タグ３２をカップ３４内に挿入後、カップは、矢印Ａの方向にカップの開口した上端部内に挿入されたカバーまたはプラグ３６におって閉じられる（図６）。カップとプラグとの組み合わせは、次いで、図５に示すようにポート１２Ｃに取り付けられる。もちろん、後でプラグ３６がカップ３４を閉じるために挿入される、カップ３４が初めにポート１２Ｃｎｉ取り付けられ、次いで、ＲＦＩＤタグ３２がカップ内に配置されるような代替の組み立て手順が使用され得る。付随的に、プラグ３６は、ある種の接着剤と共に使用され、後のプラグの取り外れを防止することができる。さらなる代替案として、ＲＦＩＤタグを有するカップが、ポートチューブと類似するチューブ内に挿入され、容器に取り付けられることができるが、容器の内容物へのアクセスのために便利または意図されたものではない。
【００２６】
図７の実施形態は、ペイントされたＲＦＩＤタグ３８を使用する。タグ３８は、血液容器１０のシート上に直接ペイントされ、または、貼られた、アルミニウムのＲＦＩＤタグ・アンテナである。
【００２７】
図８は、さらに別の実施形態を図示し、自由に浮かぶＲＦＩＤタグ４０が血液容器１０に内部に挿入される。タグ４０は、容器が充填される際に、液体成分の中で自由に浮かぶ。
【００２８】
ここで本願のさらなる実施形態を参照すると、図９〜図１７は、例えば、（１つまたは複数の血液成分容器を含み得る）血液成分及び／または血液収集または処理システムまたは流動回路に採用され得るＲＦＩＤタグの追加的な構成を図示する。これらの実施形態では、ＲＦＩＤタグは容器材料内に埋め込まれない、または、容器ラベルに関連付けられない。代りに、ＲＦＩＤタグは、容器から好ましく離間するが、容器に取り外し不可能に取り付けられ得る。例えば、ＲＦＩＤタグは、ループやストラップなどの、または、血液成分容器をとの組み合わせで採用される流動回路の部品の一部としての、吊り下げ具（hanger）またはロープ（tether）によって容器または関連する流体流動回路に取り付けられ得る。このような取り付け構成は、ＲＦＩＤタグが広範囲の製品または容器形状もしくは構成に亘って使用されること可能にし、また、ＲＦＩＤタグが使用中に様々な配向で位置することを可能するだろう。また、このような構成は、ＲＦＩＤタグのライフサイクル管理を容易にし得る。例えば、ＲＦＩＤ装置が改善、または変更される場合、改善されたバージョンが、実際の血液成分容器構成への変更を必要とせずに組み込まれ得る。さらに、下記の説明される構成が容器の一部ではないため、これらの構成は殺菌プロセスへの対象でなく、殺菌プロセスに対して存続する必要がないかもしれない。これらの構成も、そのように所望される場合、ユーザーサイトにおいて容器またはシステムに取り付けられる可能性がある。
【００２９】
ここで図面に戻ると、図９は、プラズマボトルまたはボトル組立体の上または開口端部を図示する。プラズマボトル５０は、血液成分、特に血漿の収集で一般的に採用される（バッグやパウチに加えて）別のタイプの容器の一例である。一般的に、このような収集ボトルは、一端に入口ポート５４を含む、剛性または半剛性の塑性容器本体５２を含む。剛性塑性連結部５６は、血漿ボトルを入口または出口流動管類（図示せず）に接続するための入口ポート５４に設置され密封する。外側カバーまたはキャップ５８は、ボトルの上部に取り付けられ、接続部を囲む。カバーまたはキャップ５８は、開けることができるヒンジ式で連結された部分を含み、使用者が塑性接続部にアクセスすることを可能にし得る。    
【００３０】
この実施形態では、ＲＦＩＤタグ６０は、吊り下げタグとして構成され、かつ、ＲＦＩＤチップを含む、携行する、または、実際のＲＦＩＤチップに取り付けられる、読み取りまたはスキャン部品または領域６２と、ストラップ、ループ、結び具、または、ＲＦＩＤタグの読み取り部品を外側カバーまたはキャップ５８などの、血漿ボトル５０の構成部品または一部に実質的に恒久的に取り付ける別の適切な取り付け装置などの吊り下げ具またはロープ６４と、を含む。「恒久的」は、ＲＦＩＤがいかなる手段や方法でも取り外すことができないことを意味するのではなく、通常の使用状況の範囲内で恒久的であることを意味する。
【００３１】
読み取り部品または領域６２は、任意の適切なサイズ、形状、または材料であり得、かつ、もちろん、ＲＦＩＤタグのスキャニングまたは読み取りを可能にするだろう、かつ、好ましくは、より良好なスキャニングまたは読み取りの視認性のために必要に応じて容易に移動され得る、任意の適切な方式でＲＦＩＤチップを設置し得る。読み取り部品及びロープが、好ましくは、任意の適切な塑性材料で作られるだろうことがすぐに予期される。それらは、単一ものとして一体的に形成される、または、必要に応じて、分離した部品で、または、金属またはワイヤロープ及び塑性読み取り部分などの異なる材料でさえ作られ得る。いずれにしても、図９の構成は、ボトル自体またはボトル接続部の製造における実質的な変更と、限られたボトルキャップの適合と、を必要とせずに、ＲＦＩＤタグが血漿ボトル５０に恒久的に取り付けられることを可能にする。ＲＦＩＤ技術の変更または異なるＲＦＩＤタグが所望されるべきは、血漿ボトルまたはその関連部品の基本定な製造変更を必要とせずに容易に適合され得る。図９に示される吊り下げタグ組立体は、それ自体を別の製品への適合をできるようにし、異なって構成されるＲＦＩＤタグの大量な在庫の必要性を下げる可能性がある。
【００３２】
図１０〜図１１は、血漿ボトル５０に採用されるＲＦＩＤタグ６６の別の構成を図示する。そこに示されるように、ＲＦＩＤタグは、血漿ボトル入口ポート５４のネックに嵌合するのに充分大きく、かつ、それらの間に恒久的に捕われるように接続部５６より小さい、略中心孔６８などの孔を有する。具体的に図示されるように、ＲＦＩＤタグは、一般的に、外側円形エッジ７０及び内側円形開口エッジ７２を有する環帯またはドーナツ形状を有する。ＲＦＩＤタグの内側開口は、血漿容器入口ポート５４のネックの直径より大きいが、接続部５６の直径より小さい直径を有する。従って、ＲＦＩＤタグ６６は、血漿ボトルと接続部の下側との間に恒久的に捕われる。前出の実施形態のように、ＲＦＩＤタグは、成形プラスチック、耐久性ファイバーボード、または、過酷な取扱い、凍結、解凍、及び、血液成分が晒され得る他の工程に耐えだろう別の耐久性材料などの任意の適切な材料で作られ得る。ＲＦＩＤチップ自体は、適切なＲＦＩＤスキャナ／リーダーによって容易にスキャンまたは読み取られるように、タグ６６の表面上に取り付けられる、または、携行されるように成形され得る。図１０に示される捕われた環帯もまた、キャップ５８の任意の適合を必要としない、図９に示されるようなロープで結ばれたＲＦＩＤタグを血漿ボトルに恒久的に取り付けるための方法であり得る。
【００３３】
図１２〜図１４は、ポート接続部またはアダプタ７８にヒンジ式で連結された読み取りまたはスキャン部分または部品７６を備えるＲＦＩＤタグ７４を示す。ＲＦＩＤ読み取り部分７６は、図示されたように、一般的に、長細い矩形部分であるが、それは、任意の適切な形状またはサイズであってよく、かつ、任意の適切な方式、例えば、それをポケット内に含む、矩形部分内に成形する、または、接着するもしくは結合するなどで、ＲＦＩＤチップを携行する。読み取り部分７６は、使い捨て性及び低コストのためにプラスチックなどの任意の耐久性材料であり得、かつ、好ましくは、可塑性かつ／またはＲＦＩＤタグのポート接合部分７８と共に成形される、または、それに取り付けられる。図１３において最良に示されるように、ＲＦＩＤタグ７４は、好ましくは、読み取り部分７６が様々な配向で位置することを可能にする折り目８０を有する。
【００３４】
図１３において最良に示されるように、ポートコネクタ７８は、血液バッグ収集または処理システムの塑性流体流動管類などの任意の適切な導管、チューブ、または、管類と、または、血液成分容器自体と、ライン内で接続するための対向する管状延長部８２を有する。ポート接続部は、対向する延長部を通過して延在し、流動構成において直列に取り付けられる際に塑性管類及び／またはポートを有するような流体流路の一部を形成する直通内腔または穴８を含む。図１３は流体管類断片７９に接続されるＲＦＩＤタグを図示される。流動管類断片は、前述のように、血液成分容器を含む血液収集または処理システムの一部であり得る。管類は、接着、高周波結合、またはその他などの任意の適切な方式でポートコネクタ延長部８２に接続され得る。上述のように、タグ７４のＲＦＩＤ読み取り部分７６は、好ましくは、コネクタ７８にヒンジ式で連結され、これにより、読み取り部分は、改善された読み取りまたはスキャニングのために使用中に必要に応じて様々な配向で配置され得る。
【００３５】
図１４は、血液成分容器８６に取り付けられた１つの延長部８２と、流体流動管類８８に取り付けられた対向する延長部と、を有する、図１２のＲＦＩＤタグ７４を示す。血液成分パウチ、ボトル、または、バッグなどの血液成分容器は、通常、容器を充填するため、または、内容物を取り除くための出し入れ部を設けるように容器の一端部内に成形または密封されるポートチューブを含む。図示される実施形態では、ポートコネクタ７８の１つの延長部８２は、容器ポートチューブ９０内または上に密封され、ポートコネクタの別の延長部８２は、それを介して血液成分が容器８６内に、または、容器８６から流れ得る、流体流動管類８８に取り付けられる。
【００３６】
図１２〜図１４に示されるように、図１２のＲＦＩＤタグの実施形態は、特別な成形の考慮、または、容器自体のラベルの考慮なしに、用意できているＲＦＩＤ認識を提供する。ＲＦＩＤ装置自体またはそれに関連する技術が変わる場合、その変更は、ＲＦＩＤタグ自体の製造において適合され得、結系成分容器または関連する流体流動システムの別の製造変更を必要としない。
【００３７】
図１５は、図１２のＲＦＩＤタグとはどこか異なるが、ＲＦＩＤチップと、対向するポート延長部９８と管類または同類物と接続するための底を通過する流体流動内腔１００とを有するコネクタ９６と、を携行する読み取りまたはスキャン部分９４も含むＲＦＩＤタグ９２を図示する。この実施形態の材料と構成は、図１５のスキャン部分が、好ましくは、しかし限定することなく、より小さく、かつ、円形または楕円形であること以外は、図１２〜図１４に対する上述のものと概して同様である。ＲＦＩＤタグ９２は、最も好ましくは、成形されたプラスチック構造であるが、別の構造を除外しないことが理解されるだろう。図１６は、より大きな成分収集システムまたは処理システム（図示せず）と関連するプラスチック流体流動管類または管類断片１０２に取り付けられているコネクタ９６の延長部９８それぞれを有する流体流動管類断片１０２に取り付けられている図１５のＲＦＩＤタグ９２を示す。
【００３８】
図１７は、血液成分容器１０４に取り付けられた図１５のＲＦＩＤ９２を示し、コネクタ９６の１つのポート延長部９８は、血液成分容器の出し入れポートチューブ１０６内に、または、上に延在し、コネクタ９６の他方のポート延長部９８は、流体流動断片１０２に取り付けられる。従って、単一のＲＦＩＤタグが、複数の製品用途を有し、異なる状況、及び／または、製品のために異なるＲＦＩＤタグの増加した在庫の必要性を下げ、かつ、取扱いコスト及び人為的ミスの危険性を下げる。
【００３９】
〔例〕
前述のものに限定することなく、本願発明の例は、１つまたは複数の種々の態様に現われる。例えば、第１の独立した本願発明の態様では、血液成分容器アセンブリは、本体、本体から延在してポート内で終端するネック部、及びポート関連して設置されるコネクタを備える剛性または半剛性血液容器と、容器に固定されるＲＦＩＤタグと、を含む。
【００４０】
前態様で使用され得る、本願発明の別の態様によると、ＲＦＩＤタグは、本体とコネクタとの間で容器に固定される。
【００４１】
２つの前態様のいずれかで使用され得る、本願発明の別の態様によると、ＲＦＩＤタグは、そこを通過して前記ネック部を受容するため、かつ、そこを通過して前記本体及びコネクタが通るのを防ぐために寸法決めされた孔を含む。
【００４２】
３つの前態様のいずれか１つで使用され得る、本願発明の別の態様によると、ＲＦＩＤタグは、ネック部の周囲を概して環状に延在する。
【００４３】
４つの前態様のいずれか１つで使用され得る、本願発明の別の態様によると、ＲＦＩＤタグは、ＲＦＩＤ回路を携行する概して平面の部材を備える。
【００４４】
５つの前態様のいずれか１つで使用され得る、本願発明の別の態様によると、ＲＦＩＤタグは、ネック部に篏合するのに十分な大きさで、かつ、本体とコネクタとの間で捕われるように本体及びコネクタより小さい概して中心の孔を含む、概して環状部材を備える。
【００４５】
６つの前態様のいずれか１つで使用され得る、本願発明の別の態様によると、ＲＦＩＤタグは、容器に固定されるロープを含む。
【００４６】
本願発明の別の態様によると、血液成分容器アセンブリは、容器から延在する概して筒状の部材である、可塑性のある血液成分容器と、筒状の部材内に配置されるＲＦＩＤタグと、を含む。
【００４７】
前態様で使用され得る、本願発明の別の態様によると、ＲＦＩＤタグは、筒状の部材内に配置される支持部材によって携行される。
【００４８】
前態様で使用され得る、本願発明の別の態様によると、支持部材は、成形されたプラスチック部材である。
【００４９】
２つの前態様のいずれかで使用され得る、本願発明の別の態様によると、支持部材は、レセプタクルを包含するＲＦＩＤタグを含む。
【００５０】
３つの前態様のいずれかで使用され得る、本願発明の別の態様によると、支持部材は、ＲＦＩＤタグを受容するための開口端部を有するカップと、カップ内にＲＦＩＤタグを包含するために開口端部を密封する閉口部と、を備える。
【００５１】
４つの前態様のいずれかで使用され得る、本願発明の別の態様によると、筒状の部材は、そこにＲＦＩＤタグを受容するための開口部と、筒状の部材内にＲＦＩＤタグを包含するために開口端部を密封する閉口部と、を有する。
【００５２】
５つの前態様のいずれかで使用され得る、本願発明の別の態様によると、支持部材は、分離したカニューレである。
【００５３】
６つの前態様のいずれかで使用され得る、本願発明の別の態様によると、筒状に部材は、容器の一端で開口可能なエンクロージャ内に配置される。
【００５４】
本願発明の別の独立した態様によると、血液成分容器アセンブリは、可塑性のある血液成分容器、容器によって携行される剥がしタブによって形成されるエンクロージャ、及び、エンクロージャ内に封じ込められるＲＦＩＤタグを備え、剥がしタブは、ＲＦＩＤタグへのアクセスを可能にするように手動で開けることができる。
【００５５】
前態様のいずれか１つとは別にまたは一緒に使用され得る、本願発明の別の独立した態様によると、血液成分容器は、外面を有する壁を有し、ＲＦＩＤアンテナは、直接外面上に、ペイントされる、印刷される、または、貼られる。
【００５６】
前態様で使用され得る、本願発明の別の態様によると、ＲＦＩＤアンテナはアルミニウムである。
【００５７】
２つの前態様のいずれかで使用され得る、本願発明の別の態様によると、容器は、一対の向かい合う可塑性のあるプラスチックシートを備え、ＲＦＩＤアンテナは、シートの一方の表面に直接印刷される、貼られる、または、ペイントされる。
【００５８】
前態様のいずれかと別にまたは一緒に使用され得る、本願発明の別の独立した態様によると、外面を有する血液成分容器にＲＦＩＤタグを取り付ける方法は、外面に直接ＲＦＩＤアンテナをペイントする、印刷する、または貼るステップを備える。
【００５９】
本願発明の別の独立した態様によると、血液成分容器アセンブリは、血液成分を受容するための内部室を有する血液成分容器と、室内に配置されるＲＦＩＤタグと、を含む。
【００６０】
本願発明の別の独立した態様によると、血液成分容器アセンブリは、血液成分容器と、ロープによって容器に固定されたＲＦＩＤタグと、を含む。
【００６１】
本願発明の別の独立した態様によると、血液成分を追跡するためのＲＦＩＤタグが設けられ、ＲＦＩＤタグは、ＲＦＩＤスキャン部品と、スキャン部品を製品に恒久的に取り付けるためのロープと、を含む。
【００６２】
本願発明の別の独立した態様によると、ＲＦＩＤタグは、血液成分流路と接続して使用するために設けられ、タグは、流体流路にライン内で接続するためにそこを通過して延在する流体流動内腔と、ポートコネクタによって携行されるＲＦＩＤ読み取り部分と、を含む。
【００６３】
前態様で使用され得る、本願発明の別の態様によると、コネクタは、流体流動導管への取り付けのための対向する延長部と、延長部を通過して延在する内腔と、を含む。
【００６４】
２つの前態様のいずれかで使用され得る、本願発明の別の態様によると、読み取り部分は、コネクタに柔軟に接続され、これにより、読み取り部分がコネクタに対して様々な配向で配置されることを可能にする。
【００６５】
上述の説明は、例示目的のみで示されたものである。他の実施形態及び上に示され説明された装置への他の変更は、当業者には、容易に明らかでろうし、かつ、これらも本願の開示事項の範囲内に含まれる。上述の説明は、本願発明の範囲を限定することを意図したものではなく、それは、特許請求に範囲で定義される。
【符号の説明】
【００６６】
１０  血液成分容器
１２Ａ、１２Ｂ、１２Ｃ、１２Ｄ  ポート
１４  管類
１６  剥がしタブ
１８  接続部
【図１】
0006554417.tif 000002
【図２】
0006554417.tif 000003
【図３】
0006554417.tif 000004
【図４】
0006554417.tif 000005
【図５】
0006554417.tif 000006
【図６】
0006554417.tif 000007
【図７】
0006554417.tif 000008
【図８】
0006554417.tif 000009
【図９】
0006554417.tif 000010
【図１０】
0006554417.tif 000011
【図１１】
0006554417.tif 000012
【図１２】
0006554417.tif 000013
【図１３】
0006554417.tif 000014
【図１４】
0006554417.tif 000015
【図１５】
0006554417.tif 000016
【図１６】
0006554417.tif 000017
【図１７】
0006554417.tif 000018